(57)【要約】【課題】この発明はベッドの高さ寸法の変化に応じて高さ調整できるようにしたベッド用テーブル装置を提供することにある。【解決手段】ベッドの側方に設置されるベッド用テーブル装置において、接地部及びこの接地部の一端から起立した起立部１２を有する側面形状がほぼＬ字状のベース体８と、天板部１６及びこの天板部の一端から垂設された立下り部１７を有する側面形状が上記ベース体と逆のほぼＬ字状のテーブル体９と、上記起立部に対して上記立下り部を高さ調整可能に連結するねじとを具備する。【選択図】　　図２
2004073644.tif 000002
【特許請求の範囲】
【請求項１】
ベッドの側方に設置されるベッド用テーブル装置において、
接地部及びこの接地部の一端から起立した起立部を有する側面形状がほぼＬ字状のベース体と、
天板部及びこの天板部の一端から垂設された立下り部を有する側面形状が上記ベース体と逆のほぼＬ字状のテーブル体と、
上記起立部に対して上記立下り部を高さ調整可能に連結する連結手段と、
を具備したことを特徴とするベッド用テーブル装置。
【請求項２】
上記連結手段は、上記起立部の内面に所定間隔で高さ方向に沿って設けられた一対の第１の連結部材と、上記立下り部の内面に所定間隔で高さ方向に沿って設けられ上記一対の第１の連結部材に対向位置する一対の第２の連結部材と、上記第１の連結部材と第２の連結部材とを連結固定する締結具とを備えていることを特徴とする請求項１記載のベッド用テーブル装置。
【請求項３】
上記連結手段は、上記起立部と上記立下り部のどちらか一方に幅方向一端部を固定して設けられ他端部に第１の連結孔が形成された連結板と、上記起立部と上記立下り部の他方に上記第１の連結孔と対応する間隔で高さ方向に沿って形成された複数の第２の連結孔を有し、上記第１の連結孔と第２の連結孔を介して上記起立部に対して上記立下り部を所定の高さで連結固定する締結具とを備えていることを特徴とするベッド用テーブル装置。
【請求項４】
上記天板部の下面側には引出しがスライド可能に設けられていることを特徴とする請求項１記載のベッド用テーブル装置。
【発明の詳細な説明】
【０００１】
【発明の属する技術分野】
この発明はベッドの側方に設置されるベッド用テーブル装置に関する。
【０００２】
【従来の技術】
ベッドの側方には、上面に電気スタンドや種々の小物類を載置したり、収容するために、ナイトテーブルと呼ばれるベッド用テーブル装置が設置されることがある。このテーブル装置は上面が載置面に形成された本体を有し、この本体には出し入れ可能な引出しが設けられている。
【０００３】
それによって、上記テーブル装置をベッドの側方に設置すれば、小物類を上記テーブル面上に置いたり、上記引出しに収容するなどして有効に利用することができる。
【０００４】
上記ベッドは、ベッドフレームを有し、このベッドフレームにはマットレスが載置される。利用者は上記マットレス上に仰臥する。したがって、マットレス上に仰臥した利用者が上記テーブル装置の載置面となる上面に小物類を置いたり、上面に置かれた小物類を取ったりする場合、上記載置面が上記マットレスの上面とほぼ同じ高さであると、利用者が利用し易いということがある。
【０００５】
【発明が解決しようとする課題】
ところで、ベッドにはベッドフレームやマットレスに種々の種類があり、その種類によって高さ寸法が異なることがある。そのため、載置面が所定の高さに設定されたテーブル装置では、ベッドの種類によってその載置面がマットレスの上面に対して高くなったり、低くなったりすることがあり、これらの高さに大きな差が生じると、利用者がマットレス上で仰臥した状態で上記載置面を利用し難いということがある。
【０００６】
この発明は、ベッドの種類によってマットレスの上面の高さが変わっても、載置面をそのマットレスの上面の高さとほぼ同じに設定することができるようにしたベッド用テーブル装置を提供することにある。
【０００７】
【課題を解決するための手段】
請求項１の発明は、ベッドの側方に設置されるベッド用テーブル装置において、
接地部及びこの接地部の一端から起立した起立部を有する側面形状がほぼＬ字状のベース体と、
天板部及びこの天板部の一端から垂設された立下り部を有する側面形状が上記ベース体と逆のほぼＬ字状のテーブル体と、
上記起立部に対して上記立下り部を高さ調整可能に連結する連結手段と、
を具備したことを特徴とするベッド用テーブル装置にある。
【０００８】
請求項２の発明は、上記連結手段は、上記起立部の内面に所定間隔で高さ方向に沿って設けられた一対の第１の連結部材と、上記立下り部の内面に所定間隔で高さ方向に沿って設けられ上記一対の第１の連結部材に対向位置する一対の第２の連結部材と、上記第１の連結部材と第２の連結部材とを連結固定する締結具とを備えていることを特徴とする請求項１記載のベッド用テーブル装置にある。
【０００９】
請求項３の発明は、上記連結手段は、上記起立部と上記立下り部のどちらか一方に幅方向一端部を固定して設けられ他端部に第１の連結孔が形成された連結板と、上記起立部と上記立下り部の他方に上記第１の連結孔と対応する間隔で高さ方向に沿って形成された複数の第２の連結孔を有し、上記第１の連結孔と第２の連結孔を介して上記起立部に対して上記立下り部を所定の高さで連結固定する締結具とを備えていることを特徴とするベッド用テーブル装置にある。
【００１０】
請求項４の発明は、上記天板部の下面側には引出しがスライド可能に設けられていることを特徴とする請求項１記載のベッド用テーブル装置にある。
【００１１】
この発明によれば、ベース体に対してテーブル体を高さ調整することができるから、このテーブル体の天板部をベッドのマットレスの上面とほぼ同じ高さに位置決めすることができる。
【００１２】
【発明の実施の形態】
以下、図面を参照しながらこの発明の実施の形態を説明する。
【００１３】
図１乃至図４はこの発明の第１の実施の形態を示す。図１はベッド１の側方にテーブル装置２が設置された状態の斜視図である。上記ベッド１はベッドフレーム３を備えている。このベッドフレーム３は図示しない脚によって所定の高さで支持されているとともに、長手方向一端にヘッドボード４が設けられ、他端にフットボード５が設けられている。このベッドフレーム３にはマットレス６が載置され、一側には一対の引出し７がベッドフレーム３の内部空間に出し入れ可能に設けられている。
【００１４】
ベッド１の側方に設置された上記テーブル装置２は、上記引出し７の出し入れの邪魔にならないほぼコ字状の側面形状に形成されている。つまり、テーブル装置２は、図２と図３（ａ），（ｂ）に示すようにベース体８とテーブル体９とを有する。
【００１５】
上記ベース体８は一枚の板材をほぼＬ字状に曲成して接地部１１及びこの接地部１１の一端から起立した起立部１２とを一体形成してなる。起立部１２は下端部を除く部分が接地部１１よりも狭幅に形成されている。この起立部１２の内面の幅方向両端部にはそれぞれ帯板状の第１の連結部材１３が上下方向のほぼ全長にわたって取り付け固定されている。この第１の連結部材１３には上下方向に所定間隔で複数の通孔１４が上記起立部１２の幅方向に沿って形成されている。
【００１６】
なお、ベース体８を形成する板材の厚さは、その接地部１１がベッド１の引出し７の出し入れの邪魔にならない厚さに設定されている。つまり、図１に示すように引出し７は上記接地部１１の上面側に引き出されるようになっている。
【００１７】
上記テーブル体９は、一枚の板材を上記ベース体８と逆のほぼＬ字状に曲成して天板部１６及びこの天板部１６の一端から垂設された立下り部１７とを一体形成してなる。立下り部１７は一対の側辺部１７ａが上記起立部１２の幅寸法よりもわずかに大きな間隔で形成された逆Ｕ字状をなしている。なお、天板部１６の上面が小物類を載置するための載置面となる。
【００１８】
上記立下り部１７の一対の側辺部１７ａの内面には、上下方向に沿って帯板状の一対の第２の連結部材１８が取り付け固定されている。一対の第２の連結部材１８の間隔は、上記一対の第１の連結部材１３の間隔よりもわずかに大きく設定されている。
【００１９】
図４に示すように、第２の連結部材１８の下端部には一対のナット体１９が上記第１の連結部材１３に形成された通孔１４とほぼ同じ間隔で埋め込まれている。このナット体１９は第２の連結部材１８の上記第１の連結部材１３と対向する面に露出している。それによって、上記通孔１４から上記ナット体１９に締結具としてのねじ２１を捩じ込めば、第１、第２の連結部材１３，１８を介して上記ベース体８に上記テーブル体９を連結固定することができる。
【００２０】
上記第１の連結部材１３には複数の通孔１４が上下方向に所定間隔で形成されている。したがって、テーブル体９を上下動させて一対のナット体１９を対向させる通孔１４を選択すれば、上記テーブル体９の高さを通孔１４の間隔に応じて段階的に調整することができる。上記第１の連結部材１３、第２の連結部材１８及びナット体１９とねじ２１とにより、ベース体８に対してテーブル体９を高さ調整可能に連結する連結手段を構成している。
【００２１】
なお、第１の連結部材１３に第２の連結部材１８をねじ２１によって連結する際、第１の連結部材１３と第２の連結部材１８との隙間には、その隙間に対応する厚さのスペーサ２２が上記ねじ２１に外嵌して設けられる。
【００２２】
図２に示すように、上記テーブル体９の天板部１６の下面の幅方向両端には側板２４が設けられている。これら側板２４の内面には長手方向に沿ってガイド部材２５が設けられている。これらガイド部材２５には両側外面に形成されたガイド溝２６（一方のみ図示）を係合させて引出し２７がスライド可能に設けられている。
【００２３】
このように構成されたテーブル装置２は、図１に示すようにベッド１の側方に設置される。ベッド１は、ベッドフレーム３やマットレス６の種類によってマットレス６の上面の高さが変わり、その上面の高さがテーブル装置２のテーブル体９の天板部１６の上面と大きく異なることがある。
【００２４】
そのような場合、テーブル体９をベース体８に連結固定したねじ２１を外し、テーブル体９をその天板部１６の上面がマットレス６の上面とほぼ同じ高さになるよう調整した後、その位置で第１の連結部材１３の通孔１４から第２の連結部材１８のナット体１９にねじ２１を捩じ込み、テーブル体９をベース体８に連結固定する。
【００２５】
それによって、テーブル装置２の天板部１６の上面を、マットレス６に仰臥した利用者が小物類を載置するなどして利用するのに適した高さにすることができる。上記テーブル体９は、図３（ａ）に実線で示す位置から鎖線で示すように高さを変えることができる。
【００２６】
テーブル装置２は、ベース体８とテーブル体９とがなす側面形状がほぼコ字状であるから、ベッド１の側方に設置した際、ベッドの引出し７を接地部１１と天板部１６との間に引出すことができる。つまり、テーブル装置２をベッド１の側方から除去せずに、引出し７を引出すことが可能となる。
【００２７】
ところで、ベッドフレーム３の高さが、たとえば高くなった場合、それに応じてベッドフレーム３に設けられた引出し７の高さ寸法も高くなるため、その引出し７を引出したときに天板部１６の下面に設けられた引出し２７にぶつかる虞がある。
【００２８】
しかしながら、天板部１６の上面をマットレス６の上面とほぼ同じ高さになるよう、テーブル体９の取り付け高さを高くすれば、天板部１８とともに引出し２７も上昇するから、ベッドフレーム３の引出し７がテーブル装置２の引出し２７にぶつかることなく出し入れできる。
【００２９】
ベース体８とテーブル体９はそれぞれ一枚の板材を曲成して形成されているため、荷重を受けると曲がり易いということがある。しかしながら、ベース体８の起立部１２の内面には上下方向に沿って第１の連結部材１３が設けられ、テーブル体９の立下り部１７の内面には上下方向に沿って第２の連結部材１８が設けられている。
【００３０】
そのため、ベース体８とテーブル体９は、上記第１、第２の連結部材１３，１８によってそれぞれ補強されるため、荷重を受けても容易に曲がることのない強度を有することになる。
【００３１】
図５乃至図７はこの発明の第２の実施の形態のテーブル装置２Ａを示す。このテーブル装置２Ａはベース体８とテーブル体９とを連結する連結手段が第１の実施の形態と異なる。なお、この第２の実施の形態において、上記第１の実施の形態と同一部分には同一記号を付して説明を省略する。
【００３２】
すなわち、テーブル体９の立下り部１７の一対の側辺部１７ａの下端部には矩形状の連結板３１が幅方向の一端部を上記側辺部１７ａの厚さ方向中途部に埋設して設けられている。この連結板３１は締結具としての固定ねじ３２によって上記側辺部１７ａに固定されている。
【００３３】
上記側辺部１７ａから露出した連結板３１の幅方向他端部には上下方向に沿って一対の第１の連結孔３３（図７に１つのみ図示）が上下方向に所定間隔で形成されている。この連結板３３の幅方向他端部は上記ベース体８の起立部１２の幅方向両端部に形成されたスライド溝３４に挿入されている。このスライド溝３４は起立部１２の側端面及び上端面に開放している。
【００３４】
上記起立部１２の幅方向両端部、つまりスライド溝３４が形成された箇所には複数の第２の連結孔３５が上下方向に沿って所定間隔で形成されている。複数の第２の連結孔３５は、上記一対の第１の連結孔３３とほぼ同じ間隔で形成されている。一対の第１の連結孔３３を一対の第２の連結孔３５に対向させ、そこにねじ３６を通せば、ベース体８にテーブル体９を連結固定することができる。
【００３５】
したがって、上記構成のテーブル装置２Ａによれば、第１の実施の形態と同様、ベース体８に対してテーブル体９を高さ調整可能に取付けることができる。
【００３６】
上記第２の実施の形態では連結板をテーブル体に連結固定したが、連結板をベース体の起立部に設け、テーブル体９の立下り部の側辺部に上記連結板をスライド可能に挿入するスライド溝を形成するようにしてもよい。
【００３７】
【発明の効果】
以上のようにこの発明によれば、テーブル装置をベース体とテーブル体とに分割し、上記ベース体に対するテーブル体の取り付け高さを調整できるようにした。
【００３８】
そのため、ベッドの種類によってマットレスの上面の高さが変わっても、テーブル体の載置面の高さを、利用者が利用し易い高さに設定することができる。
【図面の簡単な説明】
【図１】この発明の第１の実施の形態を示すテーブル装置をベッドの側方に設置した状体の斜視図。
【図２】テーブル装置の斜視図。
【図３】（ａ）はテーブル装置の正面図、（ｂ）は側面図。
【図４】ベース体に設けられた第１の連結部材とテーブル体に設けられた第２の連結部材との連結部分の拡大断面図。
【図５】この発明の第２の実施の形態を示すテーブル装置の斜視図。
【図６】（ａ）はテーブル体が最も低い位置にあるテーブル装置の正面図、（ｂ）はテーブル体を上昇させた状態の正面図。
【図７】ベース体とテーブル体との連結部分の拡大断面図。
【符号の説明】
８…ベース体
９…テーブル体
１１…接地部
１２…起立部
１３…第１の連結部材
１６…天板部
１７…立下り部
１８…第２の連結部材
【図１】
2004073644.tif 000003
【図２】
2004073644.tif 000004
【図３】
2004073644.tif 000005
【図４】
2004073644.tif 000006
【図５】
2004073644.tif 000007
【図６】
2004073644.tif 000008
【図７】
2004073644.tif 000009